(57)【要約】  【解決手段】  ヘッド本体、フェース板および吸振背板により構成される。上記ヘッド本体には少なくとも背面から一個の開口部が形成される。上記フェース板は適当な方式によりヘッド本体の正面に結合される。上記吸振背板はヘッド本体の背面の開口部に固設され、そしてフェース板とは一定の距離を保持するように形成される。吸振背板はヘッド本体の抵抗を相対的に増やすことができるため、打球時においてゴルフアイアンヘッドの全体の吸振能力を有効に高めることができるように構成されている。  【効果】  ヘッド本体の背面の開口部に吸振背板を設置し、吸振背板は吸振材料により製成されるため、ヘッド本体の抵抗を増やすことができると共に、フェース板とは適当な距離を保持するように形成されるため、吸振の能力を高め、打球時の快適度を増やし、ヘッドの構造の強度を強化し、さらにヘッドの重心を調整することができる。【選択図】    図１
2005230186.tif 000002
【特許請求の範囲】
【請求項１】
ヘッド本体（１０）、フェース板（２０）および吸振背板（３０）により構成されるゴルフアイアンヘッドの吸振構造であって、上記ヘッド本体（１０）には少なくとも背面から一個の開口部（１１）が形成され、上記フェース板（２０）はヘッド本体（１０）の正面に形成され、上記吸振背板（３０）はヘッド本体（１０）の背面の開口部（１１）に固設され、そしてフェース板（２０）とは一定の距離を保持するように形成され、吸振背板（３０）はヘッド本体（１０）の抵抗を相対的に増やすことができるため、打球時においてゴルフアイアンヘッドの全体の吸振能力を有効に高めることができることを特徴とするゴルフアイアンヘッドの吸振構造。
【請求項２】
上記ヘッド本体（１０）の背面の開口部（１１）は内周縁において第一階段状部（１３）が形成されることにより、吸振背板（３０）を支持し固定することを特徴とする請求項１記載のゴルフアイアンヘッドの吸振構造。
【請求項３】
上記フェース板（２０）は一体成形になるようにヘッド本体（１０）に結合されることを特徴とする請求項１記載のゴルフアイアンヘッドの吸振構造。
【請求項４】
上記ヘッド本体（１０）の開口部（１１）は背面と正面を貫通し、開口部（１１）の正面の内周縁において第二階段状部（１２）が形成されることにより、フェース板（２０）を支持し固定することを特徴とする請求項１記載のゴルフアイアンヘッドの吸振構造。
【請求項５】
上記吸振背板（３０）は辺縁から折り曲げて環状壁（３１）が形成されることにより、環状壁（３１）により開口部（１１）の内周縁に結合されることを特徴とする請求項１記載のゴルフアイアンヘッドの吸振構造。
【請求項６】
上記環状壁（３１）は第二階段状部（１２）の背面に当接するように形成されることを特徴とする請求項１記載のゴルフアイアンヘッドの吸振構造。
【請求項７】
上記ヘッド本体（１０）は底部から後方へ向かって延伸するように延伸部（１４）が形成されることを特徴とする請求項１記載のゴルフアイアンヘッドの吸振構造。
【請求項８】
上記ヘッド本体（１０）は底部から収容室（１５）が形成され、収容室（１４）に重り（４０）を嵌設することができることを特徴とする請求項１記載のゴルフアイアンヘッドの吸振構造。
【請求項９】
上記吸振背板（３０）には他に中心孔（３２）が形成されることを特徴とする請求項１記載のゴルフアイアンヘッドの吸振構造。
【請求項１０】
上記吸振背板（３０）には他に複数個の放射状孔（３３）が形成されることを特徴とする請求項１記載のゴルフアイアンヘッドの吸振構造。
【請求項１１】
上記吸振背板（３０）は吸振材料により製成された予圧成型板で、上記吸振材料は炭素繊維、ケブラー繊維、チタン金属糸、軽質金属から選ぶことができることを特徴とする請求項１記載のゴルフアイアンヘッドの吸振構造。
【請求項１２】
上記軽質材料は、マグネシウム、アルミ、チタンおよびその合金から選ぶことができることを特徴とする請求項１１記載のゴルフアイアンヘッドの吸振構造。
【発明の詳細な説明】
【技術分野】
【０００１】
本発明はゴルフアイアンヘッドの吸振構造に関するもので、特にヘッド本体の開口部の背面に吸振背板を設置することにより、ヘッド本体の抵抗を増やすことができるため、打球の震動を有効に吸収することができる吸振構造に係るものである。
【背景技術】
【０００２】
従来のゴルフアイアンヘッドの吸振構造としては、図９を参照すると、ヘッド本体１０、フェース板２０およびサンドイッチ２１が含まれる。ヘッド本体１０はステンレスなどの金属材質により製成され、ヘッド本体１０には正面と背面を貫通した開口部１１が設けられ、開口部１１の内周縁には階段状部１２が形成される。フェース板２０とサンドイッチ２１は正面から開口部１１の内部に嵌入することができ、そして階段状部１２に固設される。フェース板２０はマルエージング鋼（maraging steel）、チタン合金などの硬質金属により製成される。サンドイッチ２１はアルミ、青銅などの軟質金属により製成される。フェース板２０とサンドイッチ２１との複合構造によるゴルフアイアンヘッドで打球を行った時、サンドイッチ２１の軟質金属材質によりフェース板２０が打球材に生じた震動を吸収することで使用者の手の握り心地を増やすと共に、打球の正確性を高めることができるようにとしたものがある（例えば、特許文献１を参照）。
【特許文献１】アメリカ特許番号第５，９６７，９０３号
【発明の開示】
【発明が解決しようとする課題】
【０００３】
上記のような従来のゴルフアイアンヘッドの吸振構造においては、フェース板２０とサンドイッチ２１との複合構造では実際として下記の問題点を有している。例えば、ａ）ゴルフボールがフェース板２０とぶつかったとき、サンドイッチ２１には通常として静止状態に回復するまでフェース板２０と同期して弾性変形と往復振動が生じる。しかし、力学の分析上において、動態のサンドイッチ２１の吸振に対する貢献度は静態に処するヘッド本体１０の吸振に対する貢献度より遥かに小さくなる。言い換えれば、ゴルフクラブヘッドの吸振性は大凡ヘッド本体１０の抵抗値によるもので、フェース板２０とサンドイッチ２１の複合構造とは絶対的な正相関性を有しない。ｂ）サンドイッチ２１はフェース板２０の背面に緊密に結合されることにより、フェース板２０の弾性の変形具合を制限してしまうため、遠距離の打球能力を低く下げてしまう。ｃ）フェース板２０とサンドイッチは異なる材質により製成されることにより、異なる弾性の変形係数を有するため、打球を数回した後、フェース板２０とサンドイッチ２１との弾性の変形具合が不一致になり、両者の結合の構造が緩んだり分離したりするため、打球時においてフェース板２０とサンドイッチ２１が互いにぶつかり合って、震動による異音が生じてしまう。ｄ）結合の方式について言えば、もしフェース板２０とサンドイッチ２１は粘着剤により一体になるように粘着された場合、粘着剤が高温に耐えないという制限を受け易いため、上記複合の構造を従来の溶接の方式によりヘッド本体１０に結合するのは不適であり、フェース板２０とサンドイッチ２１を例えば爆発溶接の方式を選択して一体になるように結合することができるが、上記製造工程では製造コストを大幅に増やすため、経済的ではない。ｅ）もっと重要なのは、サンドイッチ２１の軟質金属材質は可塑性を有しているため、長期的に力を受けると、階段状部１２とフェース板２０の間に介在するサンドイッチ２１が結合の位置においては塑性による変形が生じてしまい、ヘッド本体１０、フェース板２０とサンドイッチ２１の結合による信頼性に影響を及ぼしてしまうため、結合の部位に亀裂が生じたり、隙間が生じたりまたは打球の異音が生じたりし、さらにフェース板２０とサンドイッチ２１が脱落したりする。そのため、上記のような従来のゴルフアイアンヘッドの吸振構造をさらに改良しなければならない。
【０００４】
本発明はこのような問題点に鑑みて発明したものであって、その目的とするところは、ヘッド本体の背面の開口部に吸振背板を設置し、吸振背板は吸振材料により製成されるため、ヘッド本体の抵抗を増やすことができると共に、フェース板とは適当な距離を保持するように形成されるため、吸振の能力を高め、打球時の快適度を増やし、ヘッドの構造の強度を強化し、さらにヘッドの重心を調整することができるゴルフアイアンヘッドの吸振構造を提供しようとするものである。
【０００５】
本発明の第一の目的は、ヘッド本体の背面の開口部において吸振背板を設置することにより、ヘッド本体の抵抗を増やすことができるため、吸振の能力を高め、打球時の快適度を増やすことができるゴルフアイアンヘッドの吸振構造を提供しようとするものである。
【０００６】
本発明の第二の目的は、ヘッド本体の背面の開口部において吸振背板を設置し、吸振背板は開口部の周縁に支持して固定されることにより、ヘッドの構造の強度を強化することができるゴルフアイアンヘッドの吸振構造を提供しようとするものである。
【０００７】
本発明の第三の目的は、ヘッド本体の背面の開口部において吸振背板を設置し、吸振背板によりヘッド本体の重心を後方へ延伸させると同時に、吸振背板は開口部の周縁を支持することにより、その他の部位の強度と重りの需要性を相対的に低く抑えることができるため、ヘッドの重心の調整自由度を増やすことができるゴルフアイアンヘッドの吸振構造を提供しようとするものである。
【０００８】
本発明の第四の目的は、ヘッド本体の背面の開口部において吸振背板を設置し、吸振背板はヘッド本体の背面の開口部を封止することにより、開口部の内部において細部の加工を行っていない部位を隠すことができるため、加工の製造工程を簡単にすると共に、コストを低く抑えることができるゴルフアイアンヘッドの吸振構造を提供しようとするものである。
【０００９】
本発明の第五の目的は、ヘッド本体の背面の開口部において吸振背板を設置し、吸振背板の表面に各種の金属糸と非金属繊維などの異なる材質を使用することにより、多彩な色模様が形成され、さらに打球音を調整することにより、付加価値を高めることができるゴルフアイアンヘッドの吸振構造を提供しようとするものである。
【００１０】
上記目的を達成するために、本発明によるゴルフアイアンヘッドの吸振構造は、下記のようになるものである。すなわち、
ヘッド本体、フェース板および吸振背板により構成される。上記ヘッド本体には少なくとも背面から一個の開口部が形成される。上記フェース板はヘッド本体の正面に形成される。上記吸振背板はヘッド本体の背面の開口部に固設され、そしてフェース板とは一定の距離を保持するように形成され、吸振背板はヘッド本体の抵抗を相対的に増やすことができるため、打球時においてゴルフアイアンヘッドの全体の吸振能力を有効に高めることができる。
【００１１】
本発明によるゴルフアイアンヘッドの吸振構造は、上記ヘッド本体の背面の開口部は内周縁において第一階段状部が形成されることにより、吸振背板を支持し固定することもできる。また、上記フェース板は一体成形になるようにヘッド本体に結合されることもできる。また、上記ヘッド本体の開口部は背面と正面を貫通し、開口部の正面の内周縁において第二階段状部が形成されることにより、フェース板を支持し固定することもできる。また、上記吸振背板は辺縁から折り曲げて環状壁が形成されることにより、環状壁により開口部の内周縁に結合されることもできる。また、上記環状壁は第二階段状部の背面に当接するように形成されることもできる。また、上記ヘッド本体は底部から後方へ向かって延伸するように延伸部が形成されることもできる。また、上記ヘッド本体は底部から収容室が形成され、収容室に重りを嵌設することもできる。また、上記吸振背板には他に中心孔が形成されることもできる。また、上記吸振背板には他に複数個の放射状孔が形成されることもできる。また、上記吸振背板は吸振材料により製成された予圧成型板で、上記吸振材料は炭素繊維、ケブラー繊維、チタン金属糸、軽質金属から選ぶこともできる。また、上記軽質材料は、マグネシウム、アルミ、チタンおよびその合金から選ぶこともできる。
【発明の効果】
【００１２】
本発明のゴルフアイアンヘッドの吸振構造によれば、ヘッド本体の背面の開口部において吸振背板を設置することにより、ヘッド本体の抵抗を増やすことができるため、吸振の能力を高め、打球時の快適度を増やすことができるという利点がある。
【００１３】
本発明のゴルフアイアンヘッドの吸振構造によれば、ヘッド本体の背面の開口部において吸振背板を設置し、吸振背板は開口部の周縁に支持して固定されることにより、ヘッドの構造の強度を強化することができるという利点がある。
【００１４】
本発明のゴルフアイアンヘッドの吸振構造によれば、ヘッド本体の背面の開口部において吸振背板を設置し、吸振背板によりヘッド本体の重心を後方へ延伸させると同時に、吸振背板は開口部の周縁を支持することにより、その他の部位の強度と重りの需要性を相対的に低く抑えることができるため、ヘッドの重心の調整自由度を増やすことができるという利点がある。
【００１５】
本発明のゴルフアイアンヘッドの吸振構造によれば、ヘッド本体の背面の開口部において吸振背板を設置し、吸振背板はヘッド本体の背面の開口部を封止することにより、開口部の内部において細部の加工を行っていない部位を隠すことができるため、加工の製造工程を簡単にすると共に、コストを低く抑えることができるという利点がある。
【００１６】
本発明のゴルフアイアンヘッドの吸振構造によれば、ヘッド本体の背面の開口部において吸振背板を設置し、吸振背板の表面に各種の金属糸と非金属繊維などの異なる材質を使用することにより、多彩な色模様が形成され、さらに打球音を調整することにより、付加価値を高めることができるという利点がある。
【発明を実施するための最良の形態】
【００１７】
本発明の実施の形態について、以下、図面を参照して説明する。
【００１８】
本発明のゴルフアイアンヘッドの吸振構造の一部分の部材は図９に示す従来のゴルフアイアンヘッドの吸振構造とは同じで、両者の同じ部分の部材は同じ符号を採用して標示されているため、その構造および功能については再び詳細に説明しない。
【実施例１】
【００１９】
図１、２を参照すると、本発明の実施例１のゴルフアイアンヘッドの吸振構造にはヘッド本体１０、フェース板２０および吸振背板３０が含まれる。ヘッド本体１０とフェース板２０は一体成形になるように製成され、ヘッド本体１０とフェース板２０はそれぞれステンレス、チタン合金、炭素鋼、特殊鋼などの金属または合金の材質により製成される。ヘッド本体１０の正面にはフェース板２０が形成され、さらに背面には開口部１１が設けられる。開口部１１の内周縁には階段状部１３が形成される。吸振背板３０は好ましくは炭素繊維（graphite）材質のUD一方向性布（uni-direction）、平織り布または斜紋布などの形式により予圧して成型されたプリプレグからなる。吸振背板３０は適当な方式により開口部１１の階段状部１３に固定することができ、例えば粘着方式により固定する場合、使用される粘着剤は好ましくはエポキシ樹脂であるが、その他の蒸発型（solvent-release type）、感圧型（pressure-sensitive type）、感熱型（heat-sensitive type）または反応型（chemically-reactive type）の粘着剤から選ぶこともできる。
【００２０】
再び図２を参照すると、本発明の実施例１のヘッド本体１０、フェース板２０と吸振背板３０がゴルフアイアンヘッドを組成した後、吸振背板３０は安定した状態で開口部１１の階段状部１３に支持し固定され、そして開口部１１を封止し、さらにフェース板２０とは接触しないように適当な距離を保持するように形成される。これにより、吸振背板３０によりヘッド本体１０の抵抗を相対的に増やすことができるため、打球時においてゴルフアイアンヘッドの全体の吸振能力を有効に高めることができ、さらに使用者の手の握り心地を高めることができる。また、吸振背板３０はフェース板２０とは接触しないよう形成されるため、打球時において吸振背板３０はフェース板３０の弾性変形による影響を直接受けることなく、相対的に静態を保持することができるため、吸振の効果を確保することができる。さらに、吸振背板３０が安定して開口部１１の内周縁を支持して当接することにより、ヘッド本体１０の構造の強度を相対的に強化することができるだけではなく、ヘッド本体１０のその他の部位の重り（および構造の強度）に対する要求性を低くすることもできるため、後方へ延伸したりまたは必要に応じてヘッド本体の重心を調整したりするのに大変有利である。その他に、吸振背板３０はヘッド本体１０の背面の開口部１１を封止することができるため、吸振背板３０により開口部１１の内部において細部の加工を行っていない部位を隠すことができ、例えば鋳造により生じた鋳型線または毛ばりを隠すことができるため、加工による除去の段階を減らすことができるため、加工のコストを低く抑えると共に、加工の製造工程を簡単にすることができる。
【００２１】
炭素繊維の材質の他に、本発明の実施例１の吸振背板３０は他に軽質金属板または炭素繊維、ケブラー繊維とチタン金属糸を混編した予圧複合板から取材することができる。上記は密度が4.8g/cm3より小さい軽質金属または合金から選ぶことができ、例えばマグネシウム、アルミ、チタンおよびその合金から選ぶことができる。上記ケブラー繊維は米国デュポン社のパラ系芳香族ポリアミドPPTA繊維〔PPTA、poly（p-phenylene terephthalamide）である。上記チタン金属糸はチタンまたはチタン合金により製成された細糸である。また、吸振背板３０の物理機械性質の条件を制限することにより、例えば弾性強度（tensile strength）、弾性係数（modulus）、延伸率（elongation）、HV硬度（hardness HV）と肉厚を調整することにより、ヘッドの完成品の重心位置を低くすることができると共に、清らかな打球音を生じさせることができる。また、炭素繊維は黒色で、ケブラー繊維は金色で、さらにチタン金属糸は銀色であるため、単独にまたは混編して上記炭素繊維、ケブラー繊維またはチタン金属糸を使用することにより、本発明において吸振背板３０の外表面には黒、金と銀による色彩または模様の変化を選ぶことができるため、後続のヘッド完成品の外観を美化して装飾することができ、さらにヘッドの完成品の付加価値を増やすことができる。
【実施例２】
【００２２】
図３、４を参照すると、本発明の実施例２のゴルフアイアンヘッドの吸振構造が掲示される。実施例１と比較し、実施例２の吸振背板３０は多数の組立式のゴルフアイアンヘッドの構造に応用され、ゴルフアイアンヘッドのヘッド本体１０とフェース板２０は適当な方式により組成してなるもので、そして異なる金属の材質を選ぶことができる。ヘッド本体１０には正面と背面を貫通した開口部１１が設けられる。開口部１１の正面の内周縁には他に階段状部１２が形成される。フェース板２０は正面から開口部１１に嵌入することができ、そして階段状部１２により支持される。組立時において、ヘッド本体１０とフェース板２０は各種の溶接、粘着、嵌合（構造嵌入）または螺設などの方式により結合を行うことができる。ヘッド本体１０とフェース板２０の間に高エネルギーの溶接を利用する場合、例えばレーザービーム溶接、電子ビーム溶接、プラズマアーク溶接またはタングステンイナートガスアーク溶接を利用して結合を行うことができる。ヘッド本体１０はさらに底部から後方へ向かって延伸するように延伸部１４が形成される。吸振背板３０は同様にヘッド本体１０の背面の開口部１１の階段状部１２に固設され、そして開口部１１の内周縁を支持し、ヘッド本体２０とは一定の距離を保持し、さらにその背面から開口部１１を封止することができることにより、吸振背板３０により総抵抗を増やすことができるだけではなく、全体の吸振の能力を増やし、握り心地を高め、さらに加工の製造工程を簡単にすることができる。さらに、吸振背板３０を延伸部１４と合わせることにより、ヘッドの全体の重心の位置を後方および下方へ向かって大幅に調整することができるため、慣性モーメントと遠距離の打球能力を増やすことができる。
【実施例３】
【００２３】
図５、６を参照すると、本発明の実施例３のゴルフアイアンヘッドの吸振構造が掲示される。実施例１、２と比較し、実施例３の吸振背板３０も多数の組立式のゴルフアイアンヘッドの構造に応用されるが、吸振背板３０はさらにその周縁から一体になるように環状壁３１が折り曲げられて形成され、そしてヘッド本体１０において階段状部１３の設置が省略され（図３に示す如く）、さらにその底部から収容室１５が形成され、収容室１５に重り４０を収容することができる。これにより、吸振背板３０は環状壁３１により直接開口部１１の内部に嵌入され、そして環状壁３１の外周縁から開口部１１の内周縁に粘着して結合することができるため、結合の面積、結合の強度と吸振の面積をさらに増やすことができる。また、環状壁３１を例えば階段状部１２の背面に当接させることにより、打球時においてフェース板２０から生じた打球の震動は迅速に階段状部１２と環状壁３１を経て吸振背板３０まで伝達されるため、吸振の効果をさらに高めることができる。
【実施例４】
【００２４】
図７を参照すると、本発明の実施例４のゴルフアイアンヘッドの吸振構造が掲示される。実施例１において図２を参照すると、もし吸振背板３０が開口部３０を完全に封止してしまうと、打球時においてフェース板２０から生じた弾性の変形と前後の揺動による作動により、開口部１１の内部に密封された空気を増圧または減圧させてしまうかもしれない。上記の現象が極めて小さくても長期の使用により吸振背板３０が結合位置において少しの緩みが生じてしまう。そのため、実施例１と比較し、本実施例においては吸振背板３０にはさらに中心孔３２が形成される。これにより、吸振背板３０は中心孔３２（および放射状孔３３）を利用して結合の強度および支持の強度に影響を及ぼさない状態で上記の問題点が生じるのを有効に避けることができると同時に、吸振背板３０の外観と視覚の効果を増やすことができる。
【実施例５】
【００２５】
図８を参照すると、本発明の実施例５のゴルフアイアンヘッドの吸振構造が掲示される。実施例４において説明したように、もし実施例１における吸振背板３０が開口部３０を完全に封止してしまうと、打球時においてフェース板２０から生じた弾性の変形と前後の揺動による作動により、開口部１１の内部に密封された空気を増圧または減圧させてしまう虞がある。このような現象が極めて小さくても長期の使用により吸振背板３０が結合位置において少しの緩みが生じてしまう。そのため、本実施例においては吸振背板３０に中心孔３２と複数個の放射状孔３３が形成される。これにより、吸振背板３０は中心孔３２（および放射状孔３３）を利用して結合の強度および支持の強度に影響を及ぼさない状態で上記の問題点が生じるのを有効に避けることができると同時に、吸振背板３０の外観と視覚の効果を増やすことができる。
【産業上の利用可能性】
【００２６】
上述の如く、図９に示す従来のゴルフアイアンヘッドの吸振構造によれば、吸振性が不足し、フェース板２０の弾性の変形空間を制限し、打球の異音が生じ、溶接以外の結合の製造工程にしか適用せず、結合の部位に隙間が生じ易く使用寿命に影響を及ぼしてしまうなどの問題点があったが、図１に示す本発明のゴルフアイアンヘッドの吸振構造によれば、ヘッド本体１０の背面の開口部１１に吸振背板３０を設置することにより、総抵抗を増やし、吸振の能力を高め、握りの快適度を高め、重心調整の自由度を増やし、加工の製造工程を簡単にし、さらに付加価値を確実に増やすことができる
【００２７】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２８】
【図１】本発明の実施例１のゴルフアイアンヘッドの吸振構造による分解斜視図である。
【図２】本発明の実施例１のゴルフアイアンヘッドの吸振構造による組み立てられた状態の断面図である。
【図３】本発明の実施例２のゴルフアイアンヘッドの吸振構造による分解斜視図である。
【図４】本発明の実施例２のゴルフアイアンヘッドの吸振構造による組み立てられた状態の断面図である。
【図５】本発明の実施例３のゴルフアイアンヘッドの吸振構造による分解斜視図である。
【図６】本発明の実施例３のゴルフアイアンヘッドの吸振構造による組み立てられた状態の断面図である。
【図７】本発明の実施例４のゴルフアイアンヘッドの吸振構造のフェース板による斜視図である。
【図８】本発明の実施例５のゴルフアイアンヘッドの吸振構造のフェース板による斜視図である。
【図９】従来のゴルフアイアンヘッドの吸振構造による組み立てられた状態の断面図である。
【符号の説明】
【００２９】
１０    ヘッド本体                      １１    開口部
１２    階段状部                        １３    階段状部
１４    延伸部                          １５    収容室
２０    フェース板                      ３０    吸振背板
３１    環状壁                          ３２    中心孔
３３    放射状孔                        ４０    重り
【図１】
2005230186.tif 000003
【図２】
2005230186.tif 000004
【図３】
2005230186.tif 000005
【図４】
2005230186.tif 000006
【図５】
2005230186.tif 000007
【図６】
2005230186.tif 000008
【図７】
2005230186.tif 000009
【図８】
2005230186.tif 000010
【図９】
2005230186.tif 000011